(57)【要約】【課題】係合体の係止力や剛性力を極力維持しながら、よりコンパクト化を可能にして用途を拡大する。【解決手段】ハウジング１と、被係脱部材９と当接する突当部２２及びカム溝２７を有してハウジングに対し進退可能に配置された摺動体２と、摺動体２をハウジングから突出する方向へ付勢しているばね部材４と、摺動体に対し回転自在に支持されて、爪部３２を突当部２２の上に突出して被係脱部材９を係止可能にする係止位置及び突当部２２の上から退行する係止解除位置に切り換えられる係合体３と、カム溝をトレースするピン部材５とを備えたラッチ装置において、係合体３は、爪部３２、及び該爪部と所定隙間を保ちかつ該爪部と同方向に突出されて摺動体２に回転自在に支持する枢支部３５を形成している突出部３３を有し、摺動体２に対し支持され前記係止位置に配置された状態で爪部３２と突出部３３との間に突当部２２が位置している構成である。【選択図】図４
2010106479.tif 000002
【特許請求の範囲】
【請求項１】
ハウジングと、被取付部材と当接する突当部及びカム溝を有して前記ハウジングに対し進退可能に配置された摺動体と、前記摺動体を前記ハウジングから突出する方向へ付勢しているばね部材と、前記摺動体に対し回転自在に支持されて、先端側の爪部を前記突当部上に突出して被係脱部材を係止可能にする係止位置及び前記突当部上から退行される係止解除位置に切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、
前記係合体は、前記爪部、及び前記爪部と所定隙間を保ちかつ該爪部と同方向に突出されて前記摺動体に回転自在に支持する枢支部を形成している突出部を有し、前記摺動体に対し支持され前記係止位置に配置された状態で前記爪部と前記突出部との間に前記突当部が位置していることを特徴とするラッチ装置。
【請求項２】
ハウジングと、被取付部材と当接する突当部及びカム溝を有して前記ハウジングに対し進退可能に配置された摺動体と、前記摺動体を前記ハウジングから突出する方向へ付勢しているばね部材と、前記摺動体に対し回転自在に支持されて、先端側の爪部を前記突当部上に突出して被係脱部材を係止可能にする係止位置及び前記突当部上から退行される係止解除位置に切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、
前記摺動体は、前記ハウジングの出入口側に配置される前記突当部と、前記ハウジングの奥側に配置される前記カム溝と、前記突当部と前記カム溝との間に少なくとも一部が配置されるよう設けられて前記係合体を回転自在に支持する枢支部とを有していることを特徴とするラッチ装置。
【請求項３】
請求項１又は２において、前記摺動体は、略逆凹状の本体と、前記本体の後方に突出されて幅細となった箇所に前記カム溝を形成している後延長部とを有し、前記本体の逆凹状の前端面を前記突当部とし、前記両側面に枢支部用軸穴又は軸部を形成しており、
前記係合体は、前記爪部を設けた前板部と、前記前板部から後方向へ突設した後片部と、前記後片部の側面に設けられた凸部とを有し、前記凸部が前記後延長部の幅細となった箇所へ移行しながら前記ハウジング内に設けられた張出部に乗り上げることで前記係止位置から係止解除位置に切り換えられることを特徴とするラッチ装置。
【発明の詳細な説明】
【技術分野】
【０００１】
本発明は、第１部材（例えば、箱状基体）に第２部材（例えば、蓋等の可動体）を着脱可能に係止するようなときに用いられるラッチ装置のうち、特に最初の押し操作により第２部材側の被係脱部材を係止し、次の押し操作により係止解除するプッシュ・プッシュ係止機構（これはプッシュロック・プッシュオープン機構と称されたり、プッシュ式と略称されることもある、以下、同じ）に好適なラッチ装置に関するものである。
【背景技術】
【０００２】
図８は特許文献１に開示のプッシュ式のラッチ装置を示している。この構造では、ハウジング２と、被係脱部材であるストライカー６２と当接する突当部３２及びカム溝５を有し、ハウジング２内に配置されてばね部材４５の付勢力に抗して押圧移動される摺動体３０と、先端側の爪部３９及び基端側の凸部３８ｃを有して摺動体３０に枢支されている係合体３７と、トレース用のピン部材６とを備えている。このうち、係合体３７は、摺動体３０の対応軸穴部に対し両側に設けられた軸部３７ａを嵌合した状態で枢支されて、摺動体３０の位置移動により、同（ｂ）のごとく爪部３９を突当部３２上に突出してストライカー６２を係止する係止位置と、同（ａ）のごとく爪部３９を突当部３２上から退行する係止解除位置とに切り換えられる。係止解除位置では、摺動体３０がばね部材４５の付勢力でハウジング２の入口側に移動され、係合体３７がハウジング２内に設けられた張出部２８に凸部３８ｃを乗り上げることでその状態を保つ。係止位置では、摺動体３０がストライカー６２の押し力でばね部材４５の付勢力に抗して奥側に移動され、該移動後の位置にカム溝５及びピン部材６の係合を介し保持され、係合体３７が凸部３８ｃを張出部２８から低くなった部分に移動し、かつ傾動して爪部３９を摺動体側の開口３３内から突出する。
【０００３】
換言すると、以上のラッチ装置は、摺動体３０に対するストライカー６２の押し力により係合体３７を係止解除位置から係止位置に切り換え、かつ、摺動体３０に対するストライカー６２の次の押し力により係止位置から係止解除位置に切り換える。その際、ばね部材４５は、上側が係合体３７の下側中間に設けられた突片部に係止されており、摺動体３０が奥へ押圧移動される過程で付勢力を蓄積しながら、係合体３７を軸部３７ａを支点として同図の逆時計回りへ回動し係止解除位置から係止位置方向へ切換可能とする。使用形態としては、本体側にラッチ装置を取り付け、扉側にストライカー６２を設けた場合だと、同（ｂ）が扉を本体に保持（ロック）した状態となり、扉側のストライカー６２が本体側のラッチ装置を構成している係合体３７により係止される。この係止は、扉が再び本体側へ押されることで、ピン部材６がカム溝５の係止溝から外れて同（ａ）のごとく係止解除される。このような構造は特許文献２や３のラッチ装置でも同様である。
【特許文献１】特開２００４−１３７７２５号公報
【特許文献２】特開２００１−２６２９１５号公報
【特許文献３】特開２００６−２２５４３号公報
【発明の開示】
【発明が解決しようとする課題】
【０００４】
上記したラッチ装置は、大小さまざまな機器類に利用されており、例えば、小型軽量化の要求から全寸が３０〜４０ｍｍ程度のものも提供されている。しかし、従来の構造では、更なるコンパクト化、例えばハウジングの長さ寸法として１０〜１５ｍｍ程度を実現するため、部材同士の位置関係を維持して形状を単純に小さくすると係合体の剛性力が足りなくなり、また係合体だけを相対的に大きくすることはスペース的に難しい。
【０００５】
そこで、本発明の目的は、係合体の係止力や剛性力を極力維持しながら、よりコンパクト化を可能にして用途を拡大することにある。
【課題を解決するための手段】
【０００６】
上記目的を達成するため本発明は、ハウジングと、被取付部材と当接する突当部及びカム溝を有して前記ハウジングに対し進退可能に配置された摺動体と、前記摺動体を前記ハウジングから突出する方向へ付勢しているばね部材と、前記摺動体に対し回転自在に支持されて、先端側の爪部を前記突当部上（この突当部上とは図４のごとくラッチ装置を横配置にした場合、同（ａ）のごとく爪部を突当部に近づくよう突出する態様を含む）に突出して被係脱部材を係止可能にする係止位置及び前記突当部上から退行される係止解除位置に切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、前記係合体は、前記爪部、及び前記爪部と所定隙間を保ちかつ該爪部と同方向に突出されて前記摺動体に回転自在に支持する枢支部を形成している突出部を有し、前記摺動体に対し支持され前記係止位置に配置された状態で前記爪部と前記突出部との間に前記突当部が位置していることを特徴している。
【０００７】
請求項２の発明は、以上の発明が係合体の構成から特定したのに対し摺動体の構成特徴から特定したものであり、前提要件を同じくし、前記摺動体は、前記ハウジングの出入口側に配置される前記突当部と、前記ハウジングの奥側に配置される前記カム溝と、前記突当部と前記カム溝との間に少なくとも一部が配置されるよう設けられて前記係合体を回転自在に支持する枢支部とを有していることを特徴としている。
【０００８】
請求項３の発明は、請求項１又は２において、前記摺動体は、略逆凹状の本体と、前記本体の後方に突出されて幅細となった箇所に前記カム溝を形成している後延長部とを有し、前記本体の逆凹状の前端面を前記突当部とし、前記両側面に枢支部用軸穴又は軸部を形成しており、前記係合体は、前記爪部を設けた前板部と、前記前板部から後方向へ突設した後片部と、前記後片部の側面に設けられた凸部とを有し、前記凸部が前記後延長部の幅細となった箇所へ移行しながら前記ハウジング内に設けられた張出部に乗り上げることで前記係止位置から係止解除位置に切り換えられることを特徴としている。
【発明の効果】
【０００９】
請求項１の発明では、従来構造に対し、係合体が図４に示されるごとく所定間隔を保って設けられた爪部及び枢支部用突出部を有し、摺動体に対し支持され係止位置に配置された状態で爪部と突出部との間に摺動体の突当部が位置している。このため、ラッチ装置としては、係合体を摺動体の内側に対応部をより入り込むようにして、摺動体に対し係合体を支持した状態、つまり係合体付き摺動体の幅方向ないしは厚さ方向の寸法、引いてはハウジングの厚さを短縮できること（なお、ハウジングの長さは形態のごとく摺動体が係合体の係止解除位置でハウジング内から外へ突出するようにするだけで全寸を短縮できる）、係合体の枢支部を突当部の後方ないしは真下に配置することになるので係合体の形状（例えば、係合体の枢支部から爪部、枢支部から凸部までのそれぞれの距離）として設計自由度を拡大できること、等によりコンパクト化が可能となる。
【００１０】
請求項２の発明では、従来構造に対し、摺動体が図４に示されるごとくハウジングの出入口側に配置される突当部、ハウジングの奥側に配置されるカム溝、突当部とカム部との間に少なくとも一部が配置されるよう設けられて係合体を支持する枢支部を有している。このため、ラッチ装置としては、請求項１と同様に係合体を摺動体の内側に対応部をより入り込むようにして、係合体付き摺動体の幅方向ないしは厚さ方向の寸法、引いてはハウジングの厚さを短縮できること（この場合も、ハウジングの長さは摺動体をハウジング内から外へ突出するようにするだけで全寸を短縮できる）、係合体の枢支部を突当部の後方ないしは真下に配置することになるので係合体の形状として設計自由度を拡大できること、等によりコンパクト化が可能となる。
【００１１】
請求項３の発明では、摺動体及び係合体の具体的形状例を明らかにし、それにより請求項１や２の発明を実施容易にする。
【発明を実施するための最良の形態】
【００１２】
以下、本発明の最良形態を図１〜図７を参照しながら説明する。なお、図面ではラッチ装置を拡大（例えば、ハウジングの長さ寸法は約１５ｍｍ以下となっている）して図示し、また、図５〜図７の部品図を除いて細部を簡略化ている。以下の説明では、装置構造、組立、作動の順に詳述する。
【００１３】
（装置構造）形態のラッチ装置は、一端側を開口したハウジング１と、被係脱部材であるストライカー９と当接する突当部２２及びカム溝２７を有してハウジング１に対し進退可能に配置された摺動体２と、摺動体２に対し回転自在に支持されて、爪部３２を突当部２２の上に突出してストライカー９を係止可能にする係止位置及び突当部２２の上から退行する係止解除位置に切り換えられる係合体３と、摺動体２をハウジング１から突出する方向へ付勢しているばね部材４と、カム溝２７をトレースするピン部材５とを備え、摺動体２が押圧されてばね部材４の付勢力に抗して移動されると、その移動後の位置にカム溝２７及びピン部材５を介して保持され、かつ係合体３が係止解除位置から係止位置に切り換えられるプッシュ・プッシュ係止機構からなる。
【００１４】
また、このラッチ装置は、例えば、図１（ｂ）の一点鎖線及び図２に示した機器類の本体７側に設けられた取付枠７ａに取り付けられ、図４（ａ）の一点鎖線で示した扉８に取り付けられたストライカー９を係脱する使用例だと、扉８が不図示の付勢手段の付勢力に抗して閉位置方向へ押されると、該扉８をストライカー９を介して係止し、更に扉８が同方向へ押されると、ストライカー９に対する係止を解除する。勿論、使用方法としては、ラッチ装置を扉等の可動体側に取り付けて、機器類の本体側に取り付けられる被係脱部材を係脱する構成でもよい。また、材質は、ハウジング１、摺動体２、係合体３は樹脂成形品であるが、樹脂以外でも差し支えない。
【００１５】
ここで、ハウジング１は、図３及び図５のごとく内部が上下壁１０，１１と、両側壁１２と、底壁１３とで区画形成され、一端側を開口した有底筒形となっている。また、ハウジング１は、両側壁１２の一端側を構成している外面１５が一段張り出していて図図のごとく本体側の取付枠７ａに抜け止め可能に挿入される。このうち、上壁１０の内面には、ピン規制用縦リブ１４がピン部材５のＵ形に対応して対に突設されている。各縦リブ１４は、底壁１３から前側に延び、かつ、後側が一段大きく張り出した状態に設けられて、図４（ａ）のごとくピン部材５のＵ形両側部５ｂを位置規制する。下壁１１には、前後中間に位置して摺動体２の移動範囲を規制する貫通されたガイド溝１１ａと、一端側からガイド溝１１ａに連通している浅い導入溝１１ｂと、内面両側に突設されて係合体３を係止解除方向へ回転可能にする張出部１６とが設けられている。両側壁１２には、出入口側枠部のうち両側面を一段膨出しかつ下角部を切り欠いたテーパー１５ａ付きの外面１５と、コ形スリット１２ａで区画されて先端側を外へ張り出している取付用の弾性係止爪１７と、矩形の４箇所の角部のうち対向壁の一方側（上側であるが下側でもよい）の各角部を前後略中間部から外面１５の手前まで切り欠いたテーパー１０ａと、テーパー１０ａより後側に設けられた切欠部１２ｂとが設けられている。両側壁１２の一端側内面には、逃げ凹部１２ｃがそれぞれ対向して設けられている。逃げ凹部１２ｃは、弾性係止爪１７などを形成するための成形型用の逃げである。
【００１６】
底壁１３には、下両側に貫通された型抜き穴１３ａと、上両側に貫通された略Ｌ形のピン挿通穴１３ｂと、両ピン挿通穴１３ｂの間に小スリット１３ｃを介し区画形成された弾性挟持片１３ｄ，１３ｅと、内面に突出されたばね用支持軸１８などが設けられている。各ピン挿通穴１３ｂは、ピン部材５の線径よりも若干大きな穴幅からなり、略Ｕ形のピン部材５をこの穴からケース内へ挿入可能にする。弾性挟持片１３ｄ，１３ｅは、小隙間を介し対向配置され、ピン部材５のＵ形中間部５ａが図１（ｄ）のごとく前後方向より所定の挟持力で保持可能にする。支持軸１８は左右中間に突設されている。そして、弾性挟持片１３ｄ，１３ｅには、ピン部材５が枢支され、支持軸１８にはばね部材４が保持される。ばね部材４はコイルばねであり、下側が支持軸１８に軸装され、上側が後述する摺動体２の筒部２６内から係合体３の突片部３４に係止される。
【００１７】
ところで、以上のハウジング１は、コンパクト化の観点から本体７側への取付構造として次のように工夫されている。すなわち、従来構造（例えば、特許文献１を参照）では、ハウジングが本体側取付枠に挿入操作で装着されるようにするため、ハウジングの出入口側外周を一段張り出した抜止用枠部と、上記した対向壁面に設けられた弾性係止爪（上記弾性係止爪１７と同じもの）とを有し、また、各特許文献１〜３では示されていないが位置決め用として断面凸状を長手方向（後側から抜止用枠部の手前）に設けその凸状を取付枠側の凹状に嵌合することもあった。しかし、この構造では、従来の抜止用枠部に代えてハウジング１の出入口側枠部のうち両側面１２，１２だけを一段膨出し、かつテーパー１５ａ付きの外面１５にすることで上下面１０，１１のスリム化を図った。また、従来の外面に長手方向に設けられる位置決め用凸状に代えて、ハウジング１を区画している筒部のうち対向壁の一方側の各角部（この例では上壁１０の両角部）を外面１５の手前まで切り欠いた位置決め用テーパー１０ａに形成することで外周のスリム化を図った。勿論、この構造では、取付枠７ａがハウジング１の断面と対応した嵌合穴６、つまりテーパー１０ａに対応する位置出し用のテーパー状角部６ａを必須としている。
【００１８】
摺動体２は、図３及び図６のごとくハウジング１の出入口側に配置される略逆凹状の本体２０と、本体２０の後方に突設されて本体２０より幅細になっている後延長部２１とからなる。本体２０は、下向きに開放された略逆凹状の空洞部２４を区画し、前端面を突当部２２として設定し、かつ該前端面の下側部分から前方へ突設された枠部２３と、空洞部２４を区画している両側面２０ｂに対し同軸線上に設けた枢支部用の軸穴２４ａと、突当部２２と対向する後面側のうち後延長部２１を突出している部分の両側に形成された通し穴２０ｄとを有している。換言すると、本体２０の空洞部２４は、突当部２２及び上面２０ａ並びに両側面２０ｂ、後延長部２１の前端側で区画されている。上面２０ａは、前リブ及び後リブを有し、それらによりハウジング１内に配置されたとき良好な摺動特性が得られるようにしている。枠部２３は、後述する係合体３の爪部３２を余裕を持って出没可能な開口２３ａを形成している。
【００１９】
後延長部２１は、両側にハート形のカム溝２７を形成している上側部分２５と、その上側部分２５と同方向に延びる下側の筒部２６で構成されている。両側のカム溝２７は、図６（ｄ）のごとく略同形であり、凸状カム島２８の周りに設けられて、後側から前下側へ延びる誘導溝２７ａと、誘導溝２７ａの前側に位置して上下に別れている係止用誘導溝２７ｂ及び解除用誘導溝２７ｄと、誘導溝２７ｂ，２７ｄの間でかつ後側に位置した凹状係止溝２７ｃと、誘導溝２７ｄから後側へ延びる復帰溝２７ｅなどで構成されている。これに対し、筒部２６は、筒内が上記した支持軸１８及びばね部材４の上側を遊嵌可能な筒孔を形成しており、前下側に突設されて上記ガイド溝１１ａと嵌合される突起２６ａと、後上側で両側に向けて突設されているガイド用小翼２９とを有している。
【００２０】
ところで、以上の摺動体２はコンパクト化の観点から次のように工夫されている。すなわち、この構造では、まず、摺動体２がハウジング１に対し後述する係合体３の係止解除位置でハウジング外へ突出されるようにし、それによりハウジング１の長さ方向の寸法を短縮可能にしている。加えて、摺動体２は、本体２０の後方に突出されて本体より幅細になるよう切り欠かれた逃げ部及びカム溝２８を形成している後延長部２１を有している。また、本体２０は、突当部２２の後方側に設けられて少なくとも両側面２０ｂで区画された空洞部２４と、各側面２０ｂに設けられた枢支部用軸穴２４ａとを有している。つまり、この構造では、枢支部用軸穴２４ａ（軸穴２４ａに代えて軸部でもよい）が突当部２２の後方ないしは真下に設けられているため、係合体３が摺動体の内側に対応部をより入り込むようにし、それにより摺動体２に係合体３を枢支した状態での幅方向ないしは厚さ方向の寸法を短縮可能にしたり、係合体３の大きさや形状に自由度を拡大してコンパクト化し易くしている。
【００２１】
ピン部材５は、従来と同様に、図３のごとくＵ形の中間部５ａと、両側部５ｂと、各側部５ｂの自由端側を内側に折り曲げた先端５ｃとからなり、Ｕ形の上幅寸法が下幅寸法よりも若干大きく形成されている。下幅寸法は、ハウジング１内にあって、両側壁２１の内面間の幅寸法にほぼ一致している。
【００２２】
係合体３は、図３と図８のごとく前板部３０と、前板部３０から後方向へ突設した後片部３１，３１とからなる。前板部３０には、上側に突出した爪部３２と、爪部３２と所定隙間を保ちかつ該爪部と同方向に突出された突出部３３と、後端面の左右中間に突出されて前記した筒部２６の筒内に入る突片部３４とが設けられている。爪部３２は、摺動体側の開口２３ａに自在に進入されたり退行される大きさとなっている。両突出部３３には、枢支用軸部３５が同軸線上に突出形成されている。両後片部３１の後外側面には凸部３６がそれぞれ設けられている。
【００２３】
ところで、以上の係合体３はコンパクト化の観点から次のように工夫されている。すなわち、この構造では、爪部３２、及び爪部３２と所定隙間を保ちかつ該爪部と同方向に突出されて枢支部用軸部３５（軸穴でもよい）を形成している突出部３３を有し、摺動体側本体２０に対し枢支（軸部３５と軸穴２４との嵌合）されて係止位置に配置された状態で爪部３２と突出部３３との間に突当部２２を位置させ、係止解除位置に配置された状態で摺動体側後延長部２１の細くなった部分、上記した逃げ部（図６（ｃ）を参照）に後片部３１及び凸部３６を逃がすようにしている。このため、ラッチ装置としては、係合体３を摺動体２の内側に対応部をより入り込むようにして摺動体２に対し係合体３を支持した状態での幅方向ないしは厚さ方向の寸法を短縮容易にしたり、係合体３の回転中心（軸穴２４に嵌合している軸部３５）を突当部２２の後方ないしは真下に設定することになるので係合体３の形状として、枢支部である軸部３５と爪部３２の間の距離、軸部３５と凸部３６の間の距離などを任意に設定し、それらによりコンパクト化し易くしている。
【００２４】
（組立）以上の各部材は、例えば、係合体３がまず摺動体２に組み付けられる。この作業では、図３の状態から両側の軸部３５を摺動体２の空洞部内から軸穴２４ａに押し込める。すると、係合体３は、軸部３５を支点として、所定範囲だけ回転自在に枢支され、爪部３２が図２（ｂ）及び図４（ｃ）のごとく開口２３ａ内に収まった係止解除位置と、図２（ａ）及び図４（ａ）のごとく開口２３ａから突出されてストライカー９の凸部又は爪９ａを上から押さえる係止位置とに切換可能となる。また、以上の係合体３は、摺動体側本体２０に対し軸穴２４ａと軸部３５の嵌合を介して枢支されて、爪部３２が開口２３ａから突当部２２上に突出された係止位置に配置された状態で、爪部３２と突出部３３との間に突当部２２を位置させ、爪部３２が開口２３ａ内に退行して係止解除位置に配置された状態で後延長部２１の細くなった逃げ部に対応部を逃がす。
【００２５】
次に、以上の係合体３付きの摺動体２はハウジング１内に組み付けられる。この作業では、例えば、予めばね部材４を支持軸１８に軸装し、ピン部材５を底壁１３に揺動可能に保持した状態にしてそれぞれハウジング１内に配置しておく。ピン部材５は、両側の先端５ｃを各ピン挿通穴１３ｂからハウジング内に挿入してから、Ｕ形中間部５ａを弾性挟持片１３ｄ，１３ｅ側に強制的に移動することにより、その両挟持片の間に挟持される。この挟持状態では、ピン部材５がハウジング１内に起立保持され、Ｕ形両側部５ｂが規制用縦リブ１４と対応内側面との間に位置規制される。また、係合体３付きの摺動体２は、ハウジング１内に押し入れられると、突起２６ａが導入溝１１ｂからガイド溝１１ａに落ち込んで嵌合されたときに、ハウジング１に対し抜け止めされて組み付けられる。この押し入れ過程では、ばね部材４の上側が筒部２６内に入り、係合体３の突片部３４に当接する。そして、ばね部材４は、摺動体２が奥へ押圧移動される過程で付勢力を増大し、該付勢力によって係合体３を軸部３５を支点として係止位置方向へ回転可能にする。また、ピン部材５の両先端５ｃは、対応するカム溝２７の溝入口に入る。
【００２６】
（作動）完成されたラッチ装置は、使用態様として、例えば、図４（ａ）のごとく扉８に取り付けられたストライカー９に対応して、図１（ｂ）のごとく機器類側本体７に設けられた取付枠７ａに挿入され弾性係止爪１７等を介し取り付けられる。取付状態において、ラッチ装置は、通常、図２（ｂ）のごとく摺動体２がばね部材４により突出方向へ付勢移動（この移動は突起２６ａがガイド溝１１ａの前端面に当たることで規制される）されると共に、爪部３２が摺動体側開口２３ａ内に入る方向へ回転（この回転は凸部３６が張出部１６の最も高くなった箇所に乗り上げる）されている。この状態が「係合体３の係止解除位置」である。そして、扉８が閉方向である図４（ａ）の左矢印方向に押し操作されると、摺動体２はストライカー９によりばね部材４の付勢力に抗してハウジング内に没する方向へ押圧移動される。その移動過程では係合体３が軸部３５を支点として係止位置方向へ回転される。すると、係合体３は、凸部３６が張出部１６の低い側へ弾性的に移行し、同時にストライカーの爪９ａを爪部３２を介して抜け止めする。このとき、係合体３は、図４（ａ）のごとくピン部材５の各先端５ｃが摺動体２及び係合体３の後方移動によって上記した誘導溝２７ａから係止用誘導溝２７ｂに入り、左矢印方向の押圧力を解放したときに、係止溝２７ｃに係止される。この係止により、扉８が閉状態に保持（ロック）される。
【００２７】
以上の扉保持状態から図４（ｃ）の解除状態に切り換えるときは、図４（ｂ）のごとく扉を閉じ方向へ押した後、該押し力を解放する。すると、ピン部材５の両先端５ｃは、上記した係止溝２７ｃから上記した解除用誘導溝２７ｄ、復帰溝２７ｅを経て再び誘導溝２７ａから溝入口に戻り、同時に、係合体３が当初の解除位置に切り換えられる。
【００２８】
なお、従来のラッチ装置では、係合体が係止位置においてその爪部を摺動体の開口内面に摩擦接触しているため、寒冷地等の過酷な環境下で用いられると、回転し難くなって正常な係止作動、つまり係止解除位置から係止位置に切り換えられなくなる虞があった。これに対し、以上の構造では、係合体３が爪部３２と所定隙間を保ちかつ該爪部と同方向に突出されて枢支部用の軸部３５を形成している突出部３３を有し、摺動体２に対し回転自在に支持され前記係止位置に配置された状態で爪部３２と突出部３３との間に突当部２２が位置していたり、或いは、摺動体２がハウジング１の出入口側に配置される突当部２２、ハウジング１の奥側に配置されるカム溝２７、突当部２２とカム溝２７との間に設けられた枢支部用軸穴２４ａとを有している。これにより、このラッチ装置では、図４（ａ）のごとく扉８の閉状態（係合体３が係止位置）で該扉を開こうとする外力、つまり同図の右矢印方向の外力が作用したとき、同（ｄ）ごとく係合体３を係止解除する方向へ回転しようとする応力が従来構造に比べて加わりに難くなる。
【００２９】
換言すると、この構造では、図４（ｄ）に示した係合体３の係止位置において、扉８に対し扉開方向に過大な外力が作用したとき、係合体３が爪部３２を突当部２２上から退行するよう回転、つまり係止解除位置に切り換えられるようにする、いわゆる無理抜き対応のラッチ装置とする場合、ストライカー側爪９ａに対する爪部３２の当接面又は／及び爪部３２に対するストライカー側爪９ａの当接面に無理抜き度合いに応じて抜け易くなる方向の勾配を設定することで対応可能となる。
【００３０】
なお、本発明は以上の形態に制約されることなく、請求項で特定される要件を備えておれば種々変更可能なものである。その一例として、係合体３を摺動体２に枢支する構造としては、摺動体２には軸穴２４ａに代えて軸部を設け、係合体３には軸部３５に代えて軸穴を設けて、係合体３を摺動体２に対しそれら軸部及び軸穴の嵌合を介して枢支するようにしたり、更に摺動体２及び係合体３に共に軸穴を設けて、係合体３を摺動体２に対しそれら軸穴同士に挿通されるシャフトを介して枢支する構成でもよい。
【図面の簡単な説明】
【００３１】
【図１】本発明形態のラッチ装置を係合体の係止位置で示し、（ａ）は正面図、（ｂ）は上面図、（ｃ）は側面図、（ｄ）は背面図である。
【図２】（ａ）は図１のラッチ装置を本体側取付枠と共に示す概略斜視図、（ｂ）は上記係合体を係止解除位置に切り換えた状態での概略斜視図である。
【図３】上記ラッチ装置の部材同士の関係を示す概略分解図である。
【図４】上記ラッチ装置の通常作動を図１のＡ−Ａ線断面図で示し、（ａ）は上記係合体を係止位置に切り換えた状態での図、（ｂ）は上記係合体を係止解除するときの状態での図、（ｃ）は上記係合体を係止解除位置に切り換えた状態での図、（ｄ）はストライカーが引き抜き方向の外力を受けて無理抜きした状態での図である。
【図５】上記ラッチ装置のハウジング単品を示し、（ａ）は側面図、（ｂ）は正面図、（ｃ）は（ａ）Ｂ−Ｂ線断面図、（ｄ）は（ｂ）Ｃ−Ｃ線断面図である。
【図６】上記ラッチ装置の摺動体単品を示し、（ａ）は上面図、（ｂ）は側面図、（ｃ）は下面図、（ｄ）は背面図、（ｅ）は（ｄ）Ｄ−Ｄ線断面図である。
【図７】上記ラッチ装置の係合体単品を示し、（ａ）は上面図、（ｂ）は背面図、（ｃ）は側面図、（ｄ）は正面図、（ｅ）は下面図である。
【図８】（ａ），（ｂ）従来のラッチ装置を係止解除位置及び係止位置で示す作動図である。
【符号の説明】
【００３２】
１…ハウジング（１１ａはカイド溝、１３は底壁、１６は張出部、１８は支持軸）
２…摺動体（２０は本体、２２は突当部、２３は枠部、２４ａは軸穴）
３…係合体（３０は前板部、３１は後片部、３２は爪部、３３は突出部）
４…ばね部材
５…ピン部材（５ａは中間部、５ｂは側部、５ｃは先端）
７…機器類の本体（７ａは取付枠）
８…扉（９は被係脱部材であるストライカー）
２１…後延長部（２５は上側部分、２６は筒部）
２７…カム溝（２７ｃは係止溝）
３５…軸部
【図１】
2010106479.tif 000003
【図２】
2010106479.tif 000004
【図３】
2010106479.tif 000005
【図４】
2010106479.tif 000006
【図５】
2010106479.tif 000007
【図６】
2010106479.tif 000008
【図７】
2010106479.tif 000009
【図８】
2010106479.tif 000010